(57)【要約】【課題】昇降路内の大きさに拘わらず、また、昇降路内に配置される機器との干渉を生じることなく作業台を設置できる。【解決手段】エレベータの昇降路６内に設置される保守点検対象機器１の保全に活用される折畳み式の作業台４を取付けるものであって、作業台４を支持する手段が、作業台４の床４１の保守点検対象機器１の下方に位置する端面４１ａとほぼ平行に配置される第１つなぎ材５ａと第２つなぎ材５ｂとを含み、これらの第１つなぎ材５ａ、第２つなぎ材５ｂのそれぞれの一端を、固定材３を介してガイドレール２に支持させた構成にしてある。【選択図】図１
2005187087.tif 000002
【特許請求の範囲】
【請求項１】
エレベータの昇降路内に設置される保守点検対象機器の保全に活用される折畳み式の作業台を昇降路内に取付けるエレベータの作業台取付け構造において、
上記作業台を支持する手段が、上記作業台の床の上記保守点検対象機器の下方に位置する端面とほぼ平行に配置される第１つなぎ材と第２つなぎ材とを含み、
これらの第１つなぎ材、第２つなぎ材のそれぞれの一端をガイドレールに支持させたことを特徴とするエレベータの作業台取付け構造。
【請求項２】
上記請求項１記載の発明において、
上記第１つなぎ材、第２つなぎ材の他端をブラケットを介して昇降路壁に支持させたことを特徴とするエレベータの作業台取付け構造。
【発明の詳細な説明】
【技術分野】
【０００１】
本発明は、昇降路内に設置される保守点検対象機器の保全に活用される折畳み式の作業台を昇降路内に取付けるエレベータの作業台取付け構造に関する。
【背景技術】
【０００２】
エレベータの昇降路内のピットから手の届かない範囲の保守点検対象機器を点検する場合には、点検作業者の足場の確保のために作業台が必要となる。しかし、昇降路内は乗かごが昇降する領域であることから乗かごとの干渉を避けるために、作業台は折畳み式に形成され、エレベータの稼動中は折畳まれ、点検作業を実施するときだけ展開されるようになっている。そして従来、このような折畳み式の作業台を取付ける支持体を、保守点検対象機器の直下の昇降路壁に支持させるようにした技術が提案されている（例えば、特許文献１参照。）。
【特許文献１】特開２００２−１４５５５０公報（段落番号０００６、図１）
【発明の開示】
【発明が解決しようとする課題】
【０００３】
しかし一般に、昇降路内の大きさは多様であり、上述した従来技術において昇降路内の大きさが変化した場合、例えば拡張された場合には、従来技術では支持体を昇降路壁に支持させるようにしてあることから、作業者の作業スペースを確保するために、床寸法を大きく設定するとか、床と支持体との間にスペーサを配置するなどの手段を考慮する必要があり、このために作業台に係る費用が増加する問題がある。
【０００４】
また、上述のように作業台を支持体で昇降路壁に支持させるようにしてあることから、保守点検対象機器の配設位置によっては、ガイドレールを固定するレールブラケット等の機器と、作業台を取り付ける支持体部分とが干渉するために、作業台を設置し難いことがある。このような場合には、特別の手段を設けねばならない。したがって、特別の手段を設けるための費用がかかってしまう問題がある。
【０００５】
本発明は、上述した従来技術における実状からなされたもので、その目的は、昇降路内の大きさに拘わらず、また、昇降路内に配置される機器との干渉を生じることなく作業台を設置できるエレベータの作業台取付け構造を提供することにある。
【課題を解決するための手段】
【０００６】
上記目的を達成するために、本発明は、エレベータの昇降路内に設置される保守点検対象機器の保全に活用される折畳み式の作業台を昇降路内に取付けるエレベータの作業台取付け構造において、上記作業台を支持する手段が、上記作業台の床の上記保守点検対象機器の下方に位置する端面とほぼ平行に配置される第１つなぎ材と第２つなぎ材とを含み、これらの第１つなぎ材、第２つなぎ材のそれぞれの一端をガイドレールに支持させたことを特徴としている。
【０００７】
このように構成した本発明は、作業台を支持する手段に含まれる第１つなぎ材、第２つなぎ材が、作業台の床の保守点検対象機器の下方に位置する端面とほぼ平行に配置されると共に、それぞれの一端がガイドレールに支持されるので、作業台をガイドレール付近の一定位置に配置することができる。また、レールブラケット等の機器を避けるように第１つなぎ材、第２つなぎ材を配列することにより、これらの機器との干渉を生じないようにすることができる。
【０００８】
また、本発明は上記発明において、上記第１つなぎ材、第２つなぎ材の他端をブラケットを介して昇降路壁に支持させたことを特徴としている。このように構成すれば、作業台の支持強度を確保できる。
【発明の効果】
【０００９】
本発明は、昇降路内の大きさに拘わらず、また、昇降路内に配置される機器との干渉を生じることなく作業台を設置でき、したがって作業台の床の大きさを変えたり、スペーサを備えたり、あるいは機器との干渉を避ける特別な手段を設ける必要がなく、この作業台に係る費用を従来に比べて低減させることができる。また、ガイドレールに支持させ、作業台の大きさを一定にすることができるので作業台の全体形状の標準化が可能となり、この点でも作業台に係る費用を低減させることができる。
【発明を実施するための最良の形態】
【００１０】
以下、本発明に係るエレベータの作業台取付け構造を実施するための最良の形態を図に基づいて説明する。
【００１１】
図１は本発明に係るエレベータの作業台取付け構造の第１実施形態を示す斜視図、図２は図１の平面図である。
【００１２】
これらの図１，２に示すように、本実施形態は、昇降路６内に設置された保守点検対象機器１付近に作業台４を取付けるようにしてあり、作業台４を支持する手段が、作業台４の床４１の保守点検対象機器１の下方に位置する端面４１ａとほぼ平行に配置される第１つなぎ材５ａと第２つなぎ材５ｂとを含んでいる。これらの第１つなぎ材５ａ、第２つなぎ材５ｂのそれぞれの一端５１ａ，５２ｂは、図示しない乗かごや釣合い錘の昇降をガイドするガイドレール２のベース部に、固定材３によって支持させてある。また、第１つなぎ材５ａと第２つなぎ材５ｂとは、昇降路６内に配置される機器、例えばガイドレール２を固定するレールブラケット７を避けるように上下方向に配列してある。
【００１３】
また、作業台４を支持する手段は、第１つなぎ材５ａ、第２つなぎ材５ｂに対して直交するように固定され、作業台４を支持する支持体４２と、点検作業時に作業台４の床４１を水平に保持する支持梁８を含んでいる。
【００１４】
作業台４の床４１は、連結部１２において支持体４２に回動可能に連結され、支持梁８は床４１に回動可能に連結されると共に、その下端部８ａが支持体４２に対し係止可能になっている。なお、作業台４の床４１には手摺り１０を配置してあり、この手摺り１０は連結部１１において床４１に対し回動可能になっている。
【００１５】
図１，２に示す状態は、エレベータの稼動が停止される保守点検対象機器１の点検作業時を示している。この状態では、支持体４２に対して作業台４の床４１が直交するように、すなわち床４１が水平となるように、支持梁８の下端部８ａが支持体４２の所定の部位に係止されている。また、手摺り１０が立設するように保持されている。したがって、作業者は作業台４の床４１に乗って保守点検対対象機器１の点検作業を行うことができる。また、必要に応じて手摺り１０に掴まることができる。
【００１６】
エレベータの稼動時には、手摺り１０が作業台４の床４１に重なるように折畳まれ、支持梁８の下端部８ａが支持体４２から外される。これによって床４１及び手摺り１０は、第１つなぎ材５ａ、第２つなぎ材５ｂに重なるように折畳まれる。したがって、図示しない乗かごの昇降を支障無く行わせることができる。また、第１つなぎ材５ａ、第２つなぎ材５ｂのそれぞれの一端５１ａ，５２ｂを固定する固定材３は、ガイドレール２のベース部に装着してあるので、ガイドレール２によって乗かごを円滑にガイドすることができる。
【００１７】
このように構成した本実施形態によれば、昇降路６内の大きさに拘わらず、また、昇降路６内に配置されるレールブラケット７等の機器との干渉を生じることなく折畳み式の作業台４を設置でき、したがって作業台４の床の大きさを変えたり、スペーサを備えたり、あるいは機器との干渉を避ける特別な手段を設ける必要がなく、この作業台４に係る費用を従来に比べて低減させることができる。また、ガイドレール２に支持させ、作業台４の大きさを一定にすることができるので作業台４の全体形状の標準化が可能となり、この点でも作業台４に係る費用を低減させることができる。
【００１８】
図３は本発明に係るエレベータの作業台取付け構造の第２実施形態を示す斜視図、図４は図３の平面図、図５は本発明に係るエレベータの作業台取付け構造の第３実施形態を示す斜視図、図６は図５の平面図である。
【００１９】
図３，４に示す第２実施形態は、第１つなぎ材５ａ、第２つなぎ材５ｂのそれぞれの他端を、保守点検対象機器１の側面に対向する昇降路６の横壁６ａに、ブラケット９を介して支持させてある。また、図５，６に示す第３実施形態は、第１つなぎ材５ａ、第２つなぎ材５ｂのそれぞれの他端を、保守点検対象機器１の背面に対向する昇降路６の後壁６ｂに、ブラケット９ａを介して支持させてある。その他の構成は、前述した第１実施形態とほぼ同等である。
【００２０】
このように構成した第２，第３実施形態によれば、前述した第１実施形態におけるのと同様の作用効果が得られる他に、作業台４に対する大きな支持強度を確保でき、点検作業の安全性の確保に貢献する。
【図面の簡単な説明】
【００２１】
【図１】本発明に係るエレベータの作業台取付け構造の第１実施形態を示す斜視図である。
【図２】図１の平面図である。
【図３】本発明に係るエレベータの作業台取付け構造の第２実施形態を示す斜視図である。
【図４】図３の平面図である。
【図５】本発明に係るエレベータの作業台取付け構造の第３実施形態を示す斜視図である。
【図６】図５の平面図である。
【符号の説明】
【００２２】
１    保守点検対象機器
２    ガイドレール
３    固定材
４    作業台
４１    床
４１ａ  端面
４２    支持体
５ａ  第１つなぎ材
５１ａ  一端
５ｂ  第２つなぎ材
５２ｂ  一端
６    昇降路
６ａ  横壁
６ｂ  後壁
７    レールブラケット
８    支持梁
８ａ  下端部
９    ブラケット
９ａ  ブラケット
１０  手摺り
１１  連結部
１２  連結部
【図１】
2005187087.tif 000003
【図２】
2005187087.tif 000004
【図３】
2005187087.tif 000005
【図４】
2005187087.tif 000006
【図５】
2005187087.tif 000007
【図６】
2005187087.tif 000008